(57)【特許請求の範囲】
【請求項１】
ＮＴＳＣ方式以外のテレビジョン放送を示す識別信号の有無に応じて放送方式を切り換え、切り換え後の放送方式に対応した処理を行なうテレビジョン受像機において、
映像信号から識別信号を抽出する抽出回路と、
前記抽出回路で抽出された今回の識別信号を識別する識別回路と、
前記抽出回路で抽出された過去の所定期間の識別信号に基づいて識別信号の周期性を判定する判定回路と、
前記識別回路による今回の識別信号の識別結果に拘らず、前記判定回路による判定結果に基づいて識別信号の有無を決定する識別信号決定回路とを備え、
前記識別信号決定回路による識別信号の有無の決定に従って放送方式を切り換えることを特徴とするテレビジョン受像機。
【請求項２】
請求項１に記載のテレビジョン受像機において、
前記識別信号決定回路は、前記判定回路により過去の所定期間において識別信号が周期的に検出されていた場合には、前記識別回路により今回の識別信号が識別されなくても識別信号ありと決定し、前記判定回路により過去の所定期間において識別信号が周期的に検出されていない場合には、前記識別回路により今回の識別信号が識別されても識別信号なしと決定することを特徴とするテレビジョン受像機。
【請求項３】
請求項１または請求項２に記載のテレビジョン受像機において、
前記判定回路は、中間周波信号レベルに比例したＡＧＣ回路の出力電圧に応じて識別信号の判定スレッショルドレベルを変えることを特徴とするテレビジョン受像機。
【請求項４】
請求項１〜３のいずれかの項に記載のテレビジョン受像機において、
前記抽出回路は、映像信号から同期信号を分離して波形整形し、それらの同期信号をトリガとしたマスクを用いて識別信号を抽出することを特徴とするテレビジョン受像機。
【請求項５】
請求項４に記載のテレビジョン受像機において、
前記抽出回路は、水晶発振器またはＰＬＬ回路を備え、映像信号から同期信号を分離して波形整形することを特徴とするテレビジョン受像機。
【請求項６】
請求項１〜５のいずれかの項に記載のテレビジョン受像機において、
前記抽出回路は、中間周波信号レベルに比例したＡＧＣ回路の出力電圧に応じて識別信号を増幅することを特徴とするテレビジョン受像機。
【発明の詳細な説明】
【０００１】
【発明の属する技術分野】
本発明はテレビジョン（以下、テレビと呼ぶ）受像機に関し、特にＮＴＳＣ（National Television System Committee）方式などの放送方式の切換方法を改善したものである。
【０００２】
【従来の技術】
現在のテレビ放送のＮＴＳＣ方式に代わる放送方式として、ＨＤＴＶ（High Definition ＴＶ、我が国では俗にハイビジョンＴＶと呼ばれている）、ＩＤＴＶ（Improved Definition ＴＶ）、ＡＤＴＶ（Advanced Definition ＴＶ）、ＥＤＴＶ−Ｉ（Extended Definition ＴＶ、俗にクリアビジョンと呼ばれる）、ＥＤＴＶ−ＩＩ（俗にワイドクリアビジョンと呼ばれる）などが実施または提案されている。
【０００３】
これらのＮＴＳＣ方式以外の方式のテレビ放送には、どの方式によるテレビ放送なのかを識別するための識別信号が付加されており、識別回路により識別している。例えば、１６：９のワイド画面とワイドクリアビジョン放送（ＥＤＴＶ−ＩＩ）の識別回路を備えたテレビ受像機では、識別信号を識別してＮＴＳＣ放送とワイドクリアビジョン放送とを自動的に切り換え、ワイドクリアビジョン放送受信時には画面上の広い範囲に映像を表示するとともに、補強信号を用いて高画質化を図っている。
【０００４】
図８は従来のテレビ受像機の構成の一部を示す図である。
アンテナ１で受信したテレビ放送の複合映像信号は、高周波増幅部２で増幅され、ミキサー部４で電圧制御発振部３からの周波信号と混合されて中間周波信号が生成される。ＡＧＣ回路５からは中間周波信号のレベルに応じた電圧信号（以下、ＡＧＣ電圧と呼ぶ）が出力され、この信号により不図示の音声増幅回路の増幅ゲインなどが調節される。また、ＩＦ処理部６では中間周波信号が検波されて映像信号が生成され、映像増幅部７で映像信号が増幅される。
識別回路８は、映像信号に含まれるテレビ放送の方式を示す信号を識別し、ディスプレイへ識別結果を出力して放送方式に適合した画面表示範囲に映像を表示させる。
【０００５】
【発明が解決しようとする課題】
しかしながら、放送方式の識別回路を備えた従来のテレビ受像機では、放送電波が微弱になって識別信号の振幅や位相が規格値から外れると、放送方式の識別ができなくなって画面表示範囲が変化し、見づらくなるという問題がある。
特に、携帯型テレビ受像機や車載型テレビ受像機では移動にともなって電波の強度が変化するので、上記問題が顕著に表われる。
【０００６】
本発明の目的は、テレビ受像機の移動にともなってテレビ放送の受信レベルが変動しても、放送方式の識別信号を正確に識別して放送方式の切換を円滑に行なうことにある。
【０００７】
【課題を解決するための手段】
（１）  請求項１の発明は、ＮＴＳＣ方式以外のテレビジョン放送を示す識別信号の有無に応じて放送方式を切り換え、切り換え後の放送方式に対応した処理を行なうテレビジョン受像機に適用され、映像信号から識別信号を抽出する抽出回路と、抽出回路で抽出された今回の識別信号を識別する識別回路と、抽出回路で抽出された過去の所定期間の識別信号に基づいて識別信号の周期性を判定する判定回路と、識別回路による今回の識別信号の識別結果に拘らず、判定回路による判定結果に基づいて識別信号の有無を決定する識別信号決定回路とを備える。
識別信号の識別結果に拘らず、過去の所定期間の識別信号の周期性に基づいて識別信号の有無を決定し、放送方式に対応した処理を行なう。
（２）  請求項２のテレビジョン受像機は、判定回路によって、過去の所定期間において識別信号が周期的に検出されていた場合には、識別回路により今回の識別信号が識別されなくても識別信号ありと決定し、過去の所定期間において識別信号が周期的に検出されていない場合には、識別回路により今回の識別信号が識別されても識別信号なしと決定するようにしたものである。
（３）  請求項３のテレビジョン受像機は、判定回路によって、中間周波信号レベルに比例したＡＧＣ回路の出力電圧に応じて識別信号の判定スレッショルドレベルを変えるようにしたものである。
（４）  請求項４のテレビジョン受像機は、抽出回路によって、映像信号から同期信号を分離して波形整形し、それらの同期信号をトリガとしたマスクを用いて識別信号を抽出するようにしたものである。
（５）  請求項５のテレビジョン受像機は、抽出回路に水晶発振器またはＰＬＬ回路を備え、映像信号から同期信号を分離して波形整形するようにしたものである。
（６）  請求項６のテレビジョン受像機は、抽出回路によって、中間周波信号レベルに比例したＡＧＣ回路の出力電圧に応じて識別信号を増幅するようにしたものである。
【０００８】
【発明の実施の形態】
本発明を車載型テレビ受像機に応用した一実施形態を説明する。図１は一実施形態の回路構成を示し、図２〜図７は回路各部の信号波形を示す。なお、図８に示す機器と同様な機器には同一の符号を付して相違点を中心に説明する。また、この実施形態ではＮＴＳＣ方式とワイドクリアビジョン（ＥＤＴＶ−ＩＩ）方式との切り換えを例に上げて説明する。
【０００９】
据置型の家庭用テレビ受像機でテレビ放送を受信する場合には、電界強度の変化がほとんどないため、図２に示すように復調される映像信号が安定しており、映像信号に重畳される２２Ｈ（Ｈは走査線数を示す）と２８５Ｈのワイドクリアビジョン方式を示す識別信号も常に安定している。なお、この実施形態では１フィールドに２６２．５本の走査線があり、２フィールドで１フレームを形成する２：１のインタレースの映像信号を例に上げて説明する。また、１フィールドは１／６０秒（１６．７ｍｓ）、１フレームは１／３０秒である。
【００１０】
一方、携帯型や車載型などの移動しながらテレビ放送を受信するテレビ受像機では、移動にともなって電界強度が変動するため、例えば車載型テレビ受像機では図３に示すように走行中に映像信号の振幅、位相が規格値を外れたり、信号の一部が欠落して連続性が失われることがある。したがって、識別信号が安定して受信されず、画面の表示範囲が変化して非常に見ずらくなる。
【００１１】
そこで、この実施形態では、同期分離部１１で図４に示すようにＩＦ処理部６の映像信号から水平および垂直同期信号を分離し、同期安定回路１２で図５に示すように分離した同期信号を波形整形する。ここで、同期分離部１１および同期安定回路１２は水晶発振器やＰＬＬ回路などにより安定な同期信号を再生する。
【００１２】
次に、同期分離部１１および同期安定回路１２により再生された同期信号をトリガにしたマスク回路１３により、識別信号抽出部１４で識別信号以外の部分をマスクして識別信号だけを抽出する。
【００１３】
図６は、同期信号をトリガにしたマスク（図中に破線で示す）を用いて抽出された２２Ｈおよび２８５Ｈの識別信号波形を示す。同期分離部１１および同期安定回路１２により生成された同期信号は非常に安定しており、その同期信号により映像信号をマスクして識別信号を抽出するので、識別信号以外のノイズが完全に除去される。
【００１４】
抽出された識別信号は、信号増幅部１５でＡＧＣ回路５からのＡＧＣ電圧信号に応じて増幅される。ＡＧＣ電圧は中間周波信号のレベルに応じた電圧信号であり、増幅後の識別信号のレベルは実際の受信レベルに比例した値になる。これにより、識別信号を正確に識別できる。
【００１５】
増幅された識別信号は識別回路８と周期性判定回路１６へ出力される。識別回路８は、上述したようにテレビ放送の方式を示す信号を識別する。周期性判定回路１６は、常に過去の所定フィールド期間分（例えば３〜５フィールド期間分）の識別信号を保持し、識別信号の周期性を判定する。この周期性判定回路１６の判定スレッショルドレベルを、中間周波信号レベルに比例したＡＧＣ回路５の出力電圧（ＡＧＣ電圧）に応じて変える。これにより、識別信号を正確に識別できる。欠落許容回路１７は、識別回路８による識別結果に拘らず周期性判定回路１６による周期性判定結果に基づいて、最終的な識別信号の有無を決定する。
【００１６】
図７は、信号増幅回路１５から出力された識別信号波形を示す。
（ａ）に示すように、過去の所定フィールド期間において判定スレッショルドレベル以上の識別信号が周期的に検出されていた場合には、今回の識別信号が判定スレッショルドレベル以下の欠落状態にあって識別回路８で識別不能とされても、最終的に今回は識別信号ありと決定し、それまでのワイドクリアビジョン方式の処理を継続する。すなわち、画面の広い範囲に映像を表示するとともに、補強信号を用いて画質を改善する。
【００１７】
一方、（ｂ）に示すように、過去の所定フィールド期間において判定スレッショルド以上の識別信号が周期的に検出されていなかった場合には、今回の識別信号が判定スレッショルドレベル以上で識別回路８により識別されても、最終的に今回は識別信号なしと決定し、それまでのＮＴＳＣ方式の処理を継続する。
【００１８】
このように、水晶発振器やＰＬＬ回路を用いて映像信号から同期信号を分離して波形整形し、この同期信号をトリガにしたマスクを用いて映像信号から識別信号だけを抽出し、ＡＧＣ電圧に応じて増幅する。そして、過去の所定フィールド期間分の識別信号に基づいて識別信号の周期性を判定し、識別信号の識別結果に拘らず識別信号の周期性に基づいて識別信号の有無を最終的に決定する。すなわち、過去の所定フィールド期間において判定スレッショルドレベル以上の識別信号が周期的に検出されていた場合には、今回の識別信号が判定スレッショルドレベル以下の欠落状態にあって識別不能とされても、最終的に識別信号ありとする。一方、過去の所定フィールド期間において判定スレッショルド以上の識別信号が周期的に検出されていなかった場合には、今回の識別信号が判定スレッショルドレベル以上で識別されても、最終的に識別信号なしとする。
これにより、車載型テレビ受像機において、移動にともなってテレビ放送の受信レベルが変動し、識別信号の振幅や位相が規格値を外れても、放送方式の識別信号を正確に識別して放送方式の切り換えを円滑に行なうことができ、従来のように移動にともなって画面表示範囲が変化して見ずらくなるようなことが防止される。
【００１９】
以上の一実施形態の構成において、識別回路８が識別回路を、同期分離部１１、同期安定回路１２、マスク回路１３、識別信号抽出部１４および信号増幅部１５が抽出回路を、周期性判定回路１６が判定回路を、欠落許容回路１７が識別信号決定回路を、ＡＧＣ回路５がＡＧＣ回路をそれぞれ構成する。
【００２０】
上述した実施形態では、車載型テレビジョン受像機を例に上げて説明したが、本発明は携帯型などのテレビ放送電波の受信レベルが変化する可能性がある移動可能なテレビジョン受像機すべてに応用可能であり、上記と同様な効果が得られる。なお、テレビ放送電波の受信レベルが変化する据置型テレビ受像機に対しても本発明を応用できる。
【００２１】
また、上述した実施形態ではＮＴＳＣ方式とワイドクリアビジョン方式との切り換えを例に上げて説明したが、本発明は上記方式を含むすべての方式に対して適用可能である。
【００２２】
【発明の効果】
（１）  以上説明したように請求項１の発明によれば、今回の識別信号の識別結果に拘らず、過去の所定期間の識別信号の周期性に基づいて識別信号の有無を決定するようにしたので、移動にともなってテレビ放送の受信レベルが変動し、識別信号の振幅や位相が規格値を外れても、放送方式の識別信号を正確に識別して放送方式の切り換えを円滑に行なうことができ、従来のように移動にともなって画面表示範囲が変化して見ずらくなるようなことが防止される。
（２）  請求項２の発明によれば、過去の所定期間において識別信号が周期的に検出されていた場合には、識別回路により今回の識別信号が識別されなくても識別信号ありと決定し、過去の所定期間において識別信号が周期的に検出されていない場合には、識別回路により今回の識別信号が識別されても識別信号なしと決定するようにしたので、上記請求項１と同様な効果が得られる。
（３）  請求項３の発明によれば、中間周波信号レベルに比例したＡＧＣ回路の出力電圧に応じて識別信号の判定スレッショルドレベルを変えるようにしたので、識別信号を正確に識別できる。
（４）  請求項４の発明によれば、映像信号から同期信号を分離して波形整形し、それらの同期信号をトリガとしたマスクを用いて識別信号を抽出するようにしたので、識別信号以外のノイズなどが完全に除去される。
（５）  請求項５の発明によれば、抽出回路に水晶発振器またはＰＬＬ回路を備え、映像信号から同期信号を分離して波形整形するようにしたので、非常に安定した同期信号が得られ、この同期信号をトリガとしたマスクを用いて識別信号を正確に抽出することができる。
（６）  請求項６の発明によれば、中間周波信号レベルに比例したＡＧＣ回路の出力電圧に応じて識別信号を増幅するようにしたので、増幅後の識別信号のレベルが実際の受信レベルに比例した値になり、識別信号を正確に識別できる。
【図面の簡単な説明】
【図１】  一実施形態の構成を示す図である。
【図２】  据置型の家庭用テレビ受像機で受信した映像信号波形を示す図である。
【図３】  走行中の車載型テレビ受像機で受信した映像信号波形を示す図である。
【図４】  図３に示す映像信号から分離した同期信号波形を示す図である。
【図５】  図４に示す同期信号を波形整形した同期信号波形を示す図である。
【図６】  図５に示す同期信号をトリガにしたマスクにより抽出した識別信号波形を示す図である。
【図７】  過去のある期間における識別信号の検出例を示す図である。
【図８】  従来のテレビ受像機の構成を示す図である。
【符号の説明】
１  アンテナ
２  高周波増幅部
３  電圧制御発振部
４  ミキサー部
５  ＡＧＣ回路
６  ＩＦ処理部
７  映像増幅部
８  識別回路
１１  同期分離部
１２  同期安定回路
１３  マスク回路
１４  識別信号抽出部
１５  信号増幅部
１６  周期判定回路
１７  欠落許容回路
【図１】
0003850931.tif 000002
【図２】
0003850931.tif 000003
【図３】
0003850931.tif 000004
【図４】
0003850931.tif 000005
【図５】
0003850931.tif 000006
【図６】
0003850931.tif 000007
【図７】
0003850931.tif 000008
【図８】
0003850931.tif 000009